【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
記録媒体に画像を形成する画像形成手段と、
前記画像形成手段を経由して前記記録媒体を所定の経路に案内する記録媒体案内路と、
該記録媒体案内路における前記記録媒体を搬送する搬送手段と、
を有する画像形成装置であって、
前記記録媒体を搬送する際に、前記画像形成装置から離間した位置で測定される前記画像形成装置から発生する稼働音のラウドネス値とシャープネス値とに基づいて取得される音質評価式から不快指数が設定されていることを特徴とする画像形成装置。
【請求項２】
前記ラウドネス値をAとし、前記シャープネス値をBとし、前記不快指数をSとした場合に、
前記音質評価式は、S＝0.01024269×A2+0.30996744×B‐2.1386517とすることを特徴とする請求項１に記載の画像形成装置。
【請求項３】
前記不快指数Sは、
S＜‐0.3555
となる範囲内に設定されることを特徴とする請求項２に記載の画像形成装置。
【請求項４】
前記不快指数Sは、
S＜‐0.6296
となる範囲内に設定されることを特徴とする請求項２に記載の画像形成装置。
【請求項５】
前記記録媒体案内路は、前記記録媒体の案内経路を規制するガイド部材を有し、
前記ガイド部材は、前記記録媒体案内路中を搬送される前記記録媒体に対して端面とは異なる位置で接触する可撓性を有するシート状部材であることを特徴とする請求項１ないし４のいずれか一に記載の画像形成装置。
【請求項６】
前記ガイド部材は、屈曲部を設けたシート状部材であることを特徴とする請求項５に記載の画像形成装置。
【請求項７】
前記ラウドネス値Aおよび前記シャープネス値Bは、長手方向を前記記録媒体案内路に直交する向きとした前記記録媒体を、前記搬送手段により230mm/s〜362mm/sの速度で搬送した場合の値であることを特徴とする請求項１ないし６のいずれか一に記載の画像形成装置。
【請求項８】
記録媒体に画像を形成する画像形成手段と、前記画像形成手段を経由して前記記録媒体を所定の経路に案内する記録媒体案内路と、該記録媒体案内路における前記記録媒体を搬送する搬送手段と、を有する画像形成装置から発生する音質改善方法であって、
前記記録媒体を搬送する際に、前記画像形成装置から離間した位置で測定される前記画像形成装置から発生する稼働音のラウドネス値とシャープネス値とに基づいて取得される音質評価式から不快指数を設定するようにしたことを特徴とする音質改善方法。
【請求項９】
前記ラウドネス値をAとし、前記シャープネス値をBとし、前記不快指数をSとした場合に、
前記音質評価式は、S＝0.01024269×A2+0.30996744×B‐2.1386517とすることを特徴とする請求項８に記載の音質改善方法。
【請求項１０】
前記不快指数Sを、
S＜‐0.3555
となる範囲内に設定するようにしたことを特徴とする請求項９に記載の音質改善方法。
【請求項１１】
前記不快指数Sを、
S＜‐0.6296
となる範囲内に設定するようにしたことを特徴とする請求項９に記載の音質改善方法。
【手続補正２】
【補正対象書類名】明細書
【補正対象項目名】００１１
【補正方法】変更
【補正の内容】
【００１１】
請求項１記載の発明の画像形成装置は、記録媒体に画像を形成する画像形成手段と、前記画像形成手段を経由して前記記録媒体を所定の経路に案内する記録媒体案内路と、該記録媒体案内路における前記記録媒体を搬送する搬送手段と、を有する画像形成装置であって、前記記録媒体を搬送する際に、前記画像形成装置から離間した位置で測定される前記画像形成装置から発生する稼働音のラウドネス値とシャープネス値とに基づいて取得される音質評価式から不快指数が設定されている。
したがって、装置の稼動時に発生する稼動音について、当該音の音質を物理量に基づいて評価することが可能になる。
請求項２記載の発明は、請求項１に記載の画像形成装置において、前記ラウドネス値をAとし、前記シャープネス値をBとし、前記不快指数をSとした場合に、前記音質評価式は、S＝0.01024269×A2+0.30996744×B‐2.1386517とする。
【手続補正３】
【補正対象書類名】明細書
【補正対象項目名】００１３
【補正方法】変更
【補正の内容】
【００１３】
請求項３記載の発明は、請求項２に記載の画像形成装置において、前記不快指数Sは、S＜‐0.3555となる範囲内に設定される。
【手続補正４】
【補正対象書類名】明細書
【補正対象項目名】００１５
【補正方法】変更
【補正の内容】
【００１５】
請求項４記載の発明は、請求項２に記載の画像形成装置において、前記不快指数Sは、S＜‐0.6296となる範囲内に設定される。
【手続補正５】
【補正対象書類名】明細書
【補正対象項目名】００１７
【補正方法】変更
【補正の内容】
【００１７】
請求項５記載の発明は、請求項１ないし４のいずれか一に記載の画像形成装置において、前記記録媒体の案内経路を規制するガイド部材を有し、前記ガイド部材は、前記記録媒体案内路中を搬送される前記記録媒体に対して端面とは異なる位置で接触する可撓性を有するシート状部材である。
【手続補正６】
【補正対象書類名】明細書
【補正対象項目名】００２０
【補正方法】変更
【補正の内容】
【００２０】
請求項６記載の発明は、請求項５に記載の画像形成装置において、前記ガイド部材は、屈曲部を設けたシート状部材である。
【手続補正７】
【補正対象書類名】明細書
【補正対象項目名】００２１
【補正方法】変更
【補正の内容】
【００２１】
したがって、実用上簡易な構成によって、請求項５に記載の発明の作用を実現することが可能になる。
【手続補正８】
【補正対象書類名】明細書
【補正対象項目名】００２２
【補正方法】変更
【補正の内容】
【００２２】
請求項７記載の発明は、請求項１ないし６のいずれか一に記載の画像形成装置において、前記ラウドネス値Aおよび前記シャープネス値Bは、長手方向を前記記録媒体案内路に直交する向きとした前記記録媒体を、前記搬送手段により230mm/s〜362mm/sの速度で搬送した場合の値である。
【手続補正９】
【補正対象書類名】明細書
【補正対象項目名】００２３
【補正方法】変更
【補正の内容】
【００２３】
したがって、例えば使用頻度が高いと推測されるサイズの用紙や使用が予測されるサイズの用紙等について、用紙の搬送方向および搬送速度を規定することによって、汎用性の高い画像形成装置を提供することが可能になる。
【手続補正１０】
【補正対象書類名】明細書
【補正対象項目名】００２４
【補正方法】変更
【補正の内容】
【００２４】
請求項８記載の発明の音質改善方法は、記録媒体に画像を形成する画像形成手段と、前記画像形成手段を経由して前記記録媒体を所定の経路に案内する記録媒体案内路と、該記録媒体案内路における前記記録媒体を搬送する搬送手段と、を有する画像形成装置から発生する音質改善方法であって、前記記録媒体を搬送する際に、前記画像形成装置から離間した位置で測定される前記画像形成装置から発生する稼働音のラウドネス値とシャープネス値とに基づいて取得される音質評価式から不快指数を設定するようにした。
したがって、装置の稼動時に発生する稼動音について、当該音の音質を物理量に基づいて評価することが可能になる。
請求項９記載の発明は、請求項８に記載の音質改善方法において、前記ラウドネス値をAとし、前記シャープネス値をBとし、前記不快指数をSとした場合に、前記音質評価式は、S＝0.01024269×A2+0.30996744×B‐2.1386517とする。
【手続補正１１】
【補正対象書類名】明細書
【補正対象項目名】００２６
【補正方法】変更
【補正の内容】
【００２６】
請求項１０記載の発明は、請求項９に記載の音質改善方法において、前記不快指数Sを、S＜‐0.3555となる範囲内に設定するようにした。
【手続補正１２】
【補正対象書類名】明細書
【補正対象項目名】００２８
【補正方法】変更
【補正の内容】
【００２８】
請求項１１記載の発明は、請求項９に記載の音質改善方法において、前記不快指数Sを、S＜‐0.6296となる範囲内に設定するようにした。
【手続補正１３】
【補正対象書類名】明細書
【補正対象項目名】００３６
【補正方法】変更
【補正の内容】
【００３６】
画像形成ユニット３内には、給紙ユニット１７から、給紙切替部１８(図２参照)、画像形成部１９、定着器２０等を経由して、排紙トレイ２１へ至る記録媒体案内路としての用紙案内路２２が形成されている。用紙案内路２２には、給紙ユニット１７から給紙された記録媒体としての用紙を所定方向へ搬送するための搬送手段（搬送機構）としての複数の搬送ローラ２３が設けられている。
【手続補正１４】
【補正対象書類名】明細書
【補正対象項目名】００８３
【補正方法】変更
【補正の内容】
【００８３】
請求項１記載の発明の画像形成装置によれば、記録媒体に画像を形成する画像形成手段と、前記画像形成手段を経由して前記記録媒体を所定の経路に案内する記録媒体案内路と、該記録媒体案内路における前記記録媒体を搬送する搬送手段と、を有する画像形成装置であって、前記記録媒体を搬送する際に、前記画像形成装置から離間した位置で測定される前記画像形成装置から発生する稼働音のラウドネス値とシャープネス値とに基づいて取得される音質評価式から不快指数が設定されているため、装置の稼動時に発生する稼動音について、当該音の音質を物理量に基づいて評価することが可能になるので、客観的な評価基準に基づいて、装置周辺の人間に対して、装置から発生する音に起因する心理的な不快感を緩和することができる。
請求項２記載の発明によれば、請求項１に記載の画像形成装置において、前記ラウドネス値をAとし、前記シャープネス値をBとし、前記不快指数をSとした場合に、前記音質評価式は、S＝0.01024269×A2+0.30996744×B‐2.1386517とすることにより、装置の稼動時に発生する稼動音について、当該音の音質を物理量に基づいて評価することが可能になるので、客観的な評価基準に基づいて、装置周辺の人間に対して、装置から発生する音に起因する心理的な不快感を緩和することができる。
【手続補正１５】
【補正対象書類名】明細書
【補正対象項目名】００８４
【補正方法】変更
【補正の内容】
【００８４】
請求項３記載の発明によれば、請求項２に記載の画像形成装置において、前記不快指数Sは、S＜‐0.3555となる範囲内に設定されることにより、装置の稼動時に発生する稼動音について、当該音の音質をより詳細に規定された物理量に基づいて評価することが可能になるので、客観的な評価基準に基づいて、装置周辺の人間に対して、装置から発生する音に起因する心理的な不快感をより効果的に緩和することができる。
【手続補正１６】
【補正対象書類名】明細書
【補正対象項目名】００８５
【補正方法】変更
【補正の内容】
【００８５】
請求項４記載の発明によれば、請求項２に記載の画像形成装置において、前記不快指数Sは、S＜‐0.6296となる範囲内に設定されることにより、装置の稼動時に発生する稼動音について、当該音の音質をより詳細に規定された物理量に基づいて評価することが可能になるので、客観的な評価基準に基づいて、装置周辺の人間に対して、装置から発生する音に起因する心理的な不快感をより効果的に緩和することができる。
【手続補正１７】
【補正対象書類名】明細書
【補正対象項目名】００８６
【補正方法】変更
【補正の内容】
【００８６】
請求項５記載の発明によれば、請求項１ないし４のいずれか一に記載の画像形成装置において、前記記録媒体案内路は、前記記録媒体の案内経路を規制するガイド部材を有し、前記ガイド部材は、前記記録媒体案内路中を搬送される前記記録媒体に対して端面とは異なる位置で接触する可撓性を有するシート状部材であるため、音源から断続的に発生される音であるために人間の聴覚によってより不快な音として感じる、用紙とガイド部材との摺動音を低減して、実用上より効果的に心理的な不快感を緩和させることができる。
【手続補正１８】
【補正対象書類名】明細書
【補正対象項目名】００８７
【補正方法】変更
【補正の内容】
【００８７】
請求項６記載の発明によれば、請求項５に記載の画像形成装置において、前記ガイド部材は、屈曲部を設けたシート状部材とすることにより、実用上簡易な構成によって、請求項５に記載の発明の効果を実現することができる。
【手続補正１９】
【補正対象書類名】明細書
【補正対象項目名】００８８
【補正方法】変更
【補正の内容】
【００８８】
請求項７記載の発明によれば、請求項１ないし６のいずれか一に記載の画像形成装置において、前記ラウドネス値Aおよび前記シャープネス値Bは、長手方向を前記記録媒体案内路に直交する向きとした前記記録媒体を、前記搬送手段により230mm/s〜362mm/sの速度で搬送した場合の値であるため、例えば使用頻度が高いと推測されるサイズの用紙や使用が予測されるサイズの用紙等について、用紙の搬送方向および搬送速度を規定することによって、汎用性の高い画像形成装置を提供することができる。
【手続補正２０】
【補正対象書類名】明細書
【補正対象項目名】００８９
【補正方法】変更
【補正の内容】
【００８９】
請求項８記載の発明の音質改善方法によれば、記録媒体に画像を形成する画像形成手段と、前記画像形成手段を経由して前記記録媒体を所定の経路に案内する記録媒体案内路と、該記録媒体案内路における前記記録媒体を搬送する搬送手段と、を有する画像形成装置から発生する音質改善方法であって、前記記録媒体を搬送する際に、前記画像形成装置から離間した位置で測定される前記画像形成装置から発生する稼働音のラウドネス値とシャープネス値とに基づいて取得される音質評価式から不快指数を設定することにより、装置の稼動時に発生する稼動音について、当該音の音質を物理量に基づいて評価することが可能になるので、客観的な評価基準に基づいて、装置周辺の人間に対して、装置から発生する音に起因する心理的な不快感を緩和することができる。
請求項９記載の発明によれば、請求項８に記載の音質改善方法において、前記ラウドネス値をAとし、前記シャープネス値をBとし、前記不快指数をSとした場合に、前記音質評価式は、S＝0.01024269×A2+0.30996744×B‐2.1386517とすることにより、装置の稼動時に発生する稼動音について、当該音の音質を物理量によって規定された値に基づいて改善することが可能になるので、客観的な評価基準に基づいて、装置周辺の人間に対して、装置から発生する音に起因する心理的な不快感を緩和することができる。
【手続補正２１】
【補正対象書類名】明細書
【補正対象項目名】００９０
【補正方法】変更
【補正の内容】
【００９０】
請求項１０記載の発明によれば、請求項９に記載の音質改善方法において、前記不快指数Sを、S＜‐0.3555となる範囲内に設定することにより、装置の稼動時に発生する稼動音について、当該音の音質をより詳細に規定された物理量に基づいて評価することが可能になるので、客観的な評価基準に基づいて、装置周辺の人間に対して、装置から発生する音に起因する心理的な不快感をより効果的に緩和することができる。
【手続補正２２】
【補正対象書類名】明細書
【補正対象項目名】００９１
【補正方法】変更
【補正の内容】
【００９１】
請求項１１記載の発明によれば、請求項９に記載の音質改善方法において、前記不快指数Sを、S＜‐0.6296となる範囲内に設定することにより、装置の稼動時に発生する稼動音について、当該音の音質をより詳細に規定された物理量に基づいて評価することが可能になるので、客観的な評価基準に基づいて、装置周辺の人間に対して、装置から発生する稼動音に起因する心理的な不快感をより効果的に緩和することができる。
【手続補正２３】
【補正対象書類名】明細書
【補正対象項目名】符号の説明
【補正方法】変更
【補正の内容】
【符号の説明】
１９    画像形成手段
２２    記録媒体案内路
２３    搬送手段
３８    ガイド部材